(57)【要約】【課題】  天然石そっくりであって、かつ気に入った天然石の形を選択でき、しかも取り付けが簡単であり、耐久力があり、また、色彩はいろいろ注文に応じた色にできて、さらに、健康促進に少しでも、役立つことも兼ねることができる。【解決手段】天然の小石の形に鋳造したアルミニウム合金製小石であって、鋳造の際、アルミニウム合金製小石に１個ないし複数個のフランジ付きナットを挿入し、前記アルミニウム合金製小石の底面と前記フランジ付きナットのナット面が面一になるように埋め込み、鋳造し、前記フランジ付きナットに螺合する頭なしボルトを取り付け、その頭なしボルトに蝶ネジを螺合させたものである。【選択図】              図１
0003118212.tif 000002
【実用新案登録請求の範囲】
【請求項１】
天然の小石の形に鋳造したアルミニウム合金製小石であって、鋳造の際、アルミニウム合金製小石に１個ないし複数個のフランジ付きナットを挿入し、前記アルミニウム合金製小石の底面と前記フランジ付きナットのナット面が面一になるように埋め込み、鋳造して、前記フランジ付きナットに螺合する頭なしボルトを取り付け、その頭なしボルトに蝶ネジを螺合させたことを特徴とする装飾用建材。
【請求項２】
天然の小石の形に鋳造したアルミニウム合金製小石であって、鋳造の際、アルミニウム合金製小石に１個ないし複数個のボルトのボルト頭を挿入し、前記アルミニウム合金製小石の底面と前記ボルト頭下面が面一になるように埋め込み、鋳造し、前記ボルトに六角ナットを螺合させたことを特徴とする装飾用建材。
【請求項３】
鋳造したアルミニウム製小石の表面に焼付けアクリル樹脂塗料で塗装した請求項１又は２記載の装飾用建材。
【請求項４】
鋳造したアルミニウム製小石の表面に蓄光塗料で塗装した請求項１又は２記載の装飾用建材。
【請求項５】
鋳造したアルミニウム製小石の表面に遠赤外線パウダーで塗装した請求項１又は２記載の装飾用建材。
【考案の詳細な説明】
【技術分野】
【０００１】
本考案は、建築物の壁面、床面、天井面の装飾用建材および庭の床面の装飾用建材に関するものである。
【背景技術】
【０００２】
建築物の壁面、床面にいろいろな装飾用建材があるが、自然さと豪華さを感じさせるものがなく、取り付けの容易さ、個性ある建材がなかった。また、庭の床面の装飾用建材としては自然石そのものを埋め込むことぐらいであった。
【０００３】
そこで、建築物の壁面あるいは床面に自然石そっくりのものを取り付けることができたら、壁面あるいは床面を自然の癒しと豪華に見せることができ、また、庭の床面にも自然石そっくりのものを取り付けることができたら、庭の床面にも簡単に自然の雰囲気と豪華さを見せることができる。
【考案の開示】
【考案が解決しようとする課題】
【０００４】
解決しょうとするとする問題点は、天然石そっくりであって、かつ気に入った天然石の形を選択でき、しかも取り付けが簡単であり、耐久力があり、さらには、形は天然石そっくりではあるが、色彩はいろいろ注文に応じた色にできる点である。また、健康促進に少しでも、役立つことも兼ねることができる。
【課題を解決するための手段】
【０００５】
本考案は、天然の小石の形に鋳造したアルミニウム合金製小石であって、鋳造の際、アルミニウム合金製小石に１個ないし複数個のフランジ付きナットを挿入し、前記アルミニウム合金製小石の底面と前記フランジ付きナットのナット面が面一になるように埋め込み、鋳造し、前記フランジ付きナットに螺合する頭なしボルトを取り付け、その頭なしボルトに蝶ネジを螺合させたことを特徴とする。
【０００６】
また、フランジ付きナットと頭なしボルトの代わりに、ボルトを使い、鋳造の際、前記アルミニウム合金製小石に１個ないし複数個のボルトのボルト頭を挿入し、前記アルミニウム合金製小石の底面と前記ボルト頭下面が面一になるように埋め込み鋳造し、前記ボルトに蝶ネジの代わりに六角ナットでもよい。
さらに、アルミニウム合金製小石の表面に焼付けアクリル樹脂によるアーバンカラーの塗装の外、蓄光塗装、遠赤外線パウダー塗装をすると良い。
【０００７】
そこで、建物の内外の壁面や床面に貫通孔を設け、現場に合わせて頭なしボルトを寸法切りし、アルミニウム合金製小石のフランジ付きナットにその頭なしボルトを螺合させ、頭なしボルトのボルト部を前記貫通孔に貫通させ、貫通した頭なしボルトに蝶ネジを螺合させる。ただ、施工上、ボルトを貫通させる際、ボルトにボンドを使用するとボルトと貫通孔とが強力に接着する。建物の天井面についても同様である。
庭の床面についても同様であるが、床面がコンクリートの場合、コンクリートに穴を設け、アルミニウム合金製小石のフランジ付きナットに螺合させた頭なしボルトのボルト部にボンドを使用して、その頭なしボルトのボルト部を挿入する。また、庭の床面が地面の場合は、たとえば３０cm位の頭なしボルトを使用し、地面に穴を掘って、アルミニウム合金製小石のフランジ付きナットに螺合させた頭なしボルトを挿入する。
頭なしボルトの素材は、鉄、ステンレス、アルミニウム、プラスティクス等がある。
【考案の効果】
【０００８】
本考案の装飾用建材は、天然の小石そっくりの形に鋳造したアルミニウム合金製小石ですので、好みの形の小石を建物の壁面あるいは床面に簡単に取り付けることができる。
また、庭の床面にも取り付けることができる。
さらに、アルミニウム合金製小石に焼付けアクリル樹脂によるアーバンカラーの塗装の外、蓄光塗装、遠赤外線パウダー塗装をすることができる。
【考案を実施するための最良の形態】
【０００９】
本考案は、天然の小石を建物の壁面や床面あるいは天井面に、または庭の床面に装飾するという目的を、鋳造したアルミニウム合金製小石、さらに塗装されたアルミニウム合金製小石で、好みの形と好みの色彩の小石を取り付けることにより実現した。
【実施例１】
【００１０】
図１は、本考案の一実施例であって、１は、天然の小石の形の鋳型で鋳造したアルミニウム合金製小石である。２は、フランジ２a付きナットであって、鋳造の際、アルミニウム合金製小石１にフランジ付きナット２のフランジ２a面をアルミニウム合金製小石の内側に埋め込み、フランジ付きナット２の他面をアルミニウム合金製小石１の底面と面一に鋳造する。つぎに、フランジ付きナット２に所定の寸法に切った頭なしボルト３を螺合し、建物の壁面１１の貫通孔１０に頭なしボルト３を貫通する。そして、建物の壁面１１の裏面から頭なしボルト３に蝶ネジ４を螺合し、締め付けることによって、アルミニウム合金製小石１が壁面１１に固定する。頭なしボルト３を貫通孔に貫通するとき、ボンドを使用しても良い。
【実施例２】
【００１１】
図２は、本考案の他の実施例であって、フランジ付ナットと頭なしボルトの代わりに、鋳造の際、ボルト１３の六角ボルト頭１３aをアルミニウム合金製小石１の内側に埋め込み、六角ボルト頭１３aの下面をアルミニウム製小石１の底面と面一に鋳造する。つぎに、建物の壁面１１の貫通孔１０にボルト１３を貫通し、建物の壁面１１の裏面からボルト１３にナット１４螺合し、締め付けて、アルミニウム合金製小石１を壁面に固定する。ボルト１３を貫通孔に貫通するとき、ボンドを使用しても良い。
【００１２】
なお、アルミニウム合金製小石１の表面に塗料５を塗布しても良い。たとえば、焼付けアクリル樹脂塗料でアーバンカラー塗装することによって、シルバー、ブルー、ゴールドのメタリック塗装となる。また、アルミニウム合金製小石１の表面に蓄光塗装することによって、太陽光や照明光などを蓄え、日没後、あるいは消灯したときに緑色の優しい光を発光する。
さらに、アルミニウム合金製小石１の表面に遠赤外線を放射するパウダーを塗装することによって、人体の血行の促進効果が得られる。
【産業上の利用可能性】
【００１３】
天然の小石の形をしたアルミニウム合金製小石を建物の壁面や床面、あるいは天井面に取り付け、もしくは庭の床面に取り付けることによって、壁面や床面、あるいは天井面を装飾し、自然の雰囲気をかもしだし、あるいは豪華な雰囲気をかもしだす。さらには、人体の健康促進に寄与する。
【図面の簡単な説明】
【００１４】
【図１】本考案の一実施例の一部切欠き断面図である。
【図２】本考案の他の実施例の一部切欠き断面図である。
【符号の説明】
【００１５】
１・・・・アルミニウム合金製小石
２・・・・フランジ付きナット
３・・・・頭なしボルト
４・・・・蝶ネジ
１３・・・ボルト
１４・・・ナット
【図１】
0003118212.tif 000003
【図２】
0003118212.tif 000004